(57)【要約】【課題】  煩わしい調節作業を行うことなくユーザの身体に合った有効な負荷量でトレーニングを行うことができ、また、関節可動域や筋肉分布が健常者と異なる障碍者等のリハビリにも問題なく使用することが可能で、しかも、ユーザがトレーニング中に怪我をする心配もないトレーニングシステムを提供すること。【解決手段】  ユーザの筋力や筋力と密接に関連するデータを測定する測定装置１とユーザが筋力トレーニングを行うトレーニング装置２とを、通信回線Ｌを介してサーバ装置３に接続してトレーニングシステムを構成すると共に、前記測定装置１に、電流計15やエンコーダ16から送信されたデータに基いて、操作部12の可動範囲から選択した１０以上の測定位置における筋力データＰ1・Ｐ2…を算出し、更にこれを登録情報としてサーバ装置３に送信するプログラムを含めて構成した。【選択図】  図１
2014113388.tif 000002
【特許請求の範囲】
【請求項１】
ユーザの筋力や筋力と密接に関連するデータを測定する測定装置(１)とユーザが筋力トレーニングを行うトレーニング装置(２)とが、通信回線(Ｌ)を介してサーバ装置(３)に接続されて成るトレーニングシステムであって、
前記測定装置(１)が、ユーザが手や脚を使って操作を行う往復動作が可能な操作部(12)と；入力軸を有する発電機(14)と；前記操作部(12)と発電機(14)の入力軸を連繋せしめて、操作部(12)の往復運動を入力軸に回転運動として伝える動力伝達機構(13)と；前記発電機(14)に接続されて、入力軸の回転により発生した電流を測定する電流計(15)と；前記発電機(14)に付設されて、入力軸の角度位置を検出するエンコーダ(16)と；入力手段(17b)から入力されたユーザの識別データをサーバ装置(３)に登録情報として送信するプログラム、及び前記電流計(15)やエンコーダ(16)から送信されたデータに基いて、操作部(12)の可動範囲から選択した１０以上の測定位置における筋力データ(Ｐ1)(Ｐ2)…を算出し、これを登録情報としてサーバ装置(３)に送信するプログラムが記憶手段(17d)に組み込まれた登録用端末(17)とを含んで構成されると共に、
前記トレーニング装置(２)については、前記測定装置(１)とほゞ同じ形態の操作部(22)と；出力軸を有するトルクモータ(24)と；前記操作部(22)とトルクモータ(24)の出力軸を連繋せしめて、操作部(12)の往復運動に出力軸のトルクを伝える動力伝達機構(23)と；入力手段(25b)から入力されたユーザの識別データをサーバ装置(３)に認証用データとして送信するプログラム、及びサーバ装置(３)から送信された筋力データ(Ｐ1)(Ｐ2)…に基づいて、ユーザのトレーニングに必要となる負荷量を、運動位置によって変化するトルクカーブ(Ｔ)として算出するプログラム、及びこのトルクカーブ(Ｔ)を基にトルクモータ(24)を制御して出力軸のトルクを調節するプログラムが記憶手段(25d)に組み込まれた制御用端末(25)とを含んで構成され、
更に前記サーバ装置(３)は、測定装置(１)から送信されたユーザの登録情報を記憶可能で、かつ、トレーニング装置(２)から送信された識別データと登録された識別データとを比較して個人認証を行うプログラムが組み込まれた記憶手段(32)を備えて構成されていることを特徴とするトレーニングシステム。
【請求項２】
トレーニング装置(２)の制御用端末(25)において、記憶手段(25d)に組み込まれたトルクカーブ(Ｔ)を算出するプログラムに各測定位置の筋力データ(Ｐ1)(Ｐ2)…を一次関数で直線的に繋ぐ補正プログラムが含まれていることを特徴とする請求項１記載のトレーニングシステム。
【請求項３】
測定装置(１)とトレーニング装置(２)に、アジャスト機構(11a)(21a)付きのシート部(11)(21)が設けられる一方、測定装置(１)の登録用端末(17)の記憶手段(17d)に、入力手段(17b)から入力された、或いはアジャスト機構(11a)に付設した変位センサ(11b)から送信されたシート部(11)の位置・角度データを、サーバ装置(３)に登録情報として送信するプログラムが組み込まれると共に、トレーニング装置(２)の制御用端末(25)の記憶手段(25d)には、サーバ装置(３)から送信された位置・角度データに基づいて、シート部(21)のポジション及びアングルをアジャスト機構(21a)を制御して調節するプログラムが組み込まれていることを特徴とする請求項１または２に記載のトレーニングシステム。
【請求項４】
少なくとも測定装置(１)に、測定装置(１)とトレーニング装置(２)が一体となったトレーニング複合装置(４)が使用されていることを特徴とする請求項１〜３の何れか一つに記載のトレーニングシステム。
【請求項５】
測定装置(１)及びトレーニング装置(２)にトレーニング複合装置(４)が使用されていることを特徴とする請求項４記載のトレーニングシステム。
【請求項６】
トレーニング複合装置(４)において、トレーニング時の負荷発生源および筋力測定時の発電機としてトルクモータ(44)が兼用されると共に、登録用端末と制御用端末の両方の機能を備えたモード切替式の登録・制御用端末(47)が付設されていることを特徴とする請求項４または５に記載のトレーニングシステム。
【請求項７】
ユーザの筋力や筋力と密接に関連するデータを測定する測定装置(１)とユーザが筋力トレーニングを行うトレーニング装置(２)とが、通信回線(Ｌ)を介してサーバ装置(３)に接続されて成るトレーニングシステムであって、
前記測定装置(１)が、ユーザが手や脚を使って操作を行う往復動作が可能な操作部(12)と；入力軸を有する発電機(14)と；前記操作部(12)と発電機(14)の入力軸を連繋せしめて、操作部(12)の往復運動を入力軸に回転運動として伝える動力伝達機構(13)と；前記発電機(14)に接続されて、入力軸の回転により発生した電流を測定する電流計(15)と；前記発電機(14)に付設されて、入力軸の角度位置を検出するエンコーダ(16)と；入力手段(17b)から入力されたユーザの識別データをサーバ装置(３)に登録情報として送信するプログラム、及び前記電流計(15)やエンコーダ(16)から送信されたデータに基いて、操作部(12)の可動範囲から選択した１０以上の測定位置における筋力データ(Ｐ1)(Ｐ2)…を算出し、更にこの筋力データからユーザのトレーニングに必要となる負荷量を運動位置によって変化するトルクカーブ(Ｔ)として算出して、これを登録情報としてサーバ装置(３)に送信するプログラムが記憶手段(17d)に組み込まれた登録用端末(17)とを含んで構成されると共に、
前記トレーニング装置(２)については、前記測定装置(１)とほゞ同じ形態の操作部(22)と；出力軸を有するトルクモータ(24)と；前記操作部(22)とトルクモータ(24)の出力軸を連繋せしめて、操作部(12)の往復運動に出力軸のトルクを伝える動力伝達機構(23)と；入力手段(25b)から入力されたユーザの識別データをサーバ装置(３)に認証用データとして送信するプログラム、及びサーバ装置(３)から送信されたトルクカーブ(Ｔ)を基にトルクモータ(24)を制御して出力軸のトルクを調節するプログラムが記憶手段(25d)に組み込まれた制御用端末(25)とを含んで構成され、
更に前記サーバ装置(３)は、測定装置(１)から送信されたユーザの登録情報を記憶可能で、かつ、トレーニング装置(２)から送信された識別データと登録された識別データとを比較して個人認証を行うプログラムが組み込まれた記憶手段(32)を備えて構成されていることを特徴とするトレーニングシステム。
【発明の詳細な説明】
【技術分野】
【０００１】
本発明は、トレーニングシステムの改良、詳しくは、ユーザの身体に合った有効な負荷量でトレーニングを行うことができ、更に関節可動域や筋肉分布が健常者と異なる障碍者等のリハビリにも問題なく使用可能で、しかも、ユーザがトレーニング中に怪我をする心配もないトレーニングシステムに関するものである。
【背景技術】
【０００２】
周知のとおり、トレーニングマシンが常備されたフィットネスジムでは、スポーツ選手だけでなく多くの一般人が、体力増進やダイエット、健康維持などを目的としてトレーニングに励んでいる。また最近では、介護施設や病院等の医療関係施設においてもトレーニングマシンが設置され、障碍者や患者のリハビリに利用されている。
【０００３】
ところで、トレーニングマシンのユーザは当然ながら体格や筋力に個人差があるため、ユーザはマシンの負荷を自分に合わせて調整する必要がある。しかし、手動による負荷の調整は非常に面倒であるだけでなく、設置されたマシンの種類が多くなると自分に合った負荷量をマシン毎に記憶しておくことも難しい。
【０００４】
そこで、本件発明者は以前に、個人認証が可能なデータキャリア(識別カード等)に個人データを記憶させると共に、トレーニングマシンの負荷発生源に電子制御が可能なトルクモータを使用して、データキャリアから個人データを読み取らせた制御装置でマシンの負荷を自動調節するシステムを開発している(特許文献１参照)。
【０００５】
しかしながら、上記従来のシステムでは、運動開始時から運動終了時まで同じ大きさの負荷がかかる負荷固定型のトレーニングマシンを使用していたため、大きな筋力を発揮し難い運動開始時に、ユーザの身体にかかる負担が大きくなって、トレーニング中にユーザが怪我をする心配があった。
【０００６】
一方、従来においては、ユーザの１ＲＰ(一度しか反復できない負荷量)から基準負荷を算出し、更にこの基準負荷から負荷曲線を算出して、この負荷曲線に沿ってマシンの負荷を変動させる技術も公知となっており(特許文献２参照)、この技術では、運動開始時から運動終了時に向けて負荷が徐々に大きくなるように計算されている。
【０００７】
しかし、上記文献２に係る技術では、負荷曲線を１ＲＰに所定係数を掛けて算出しているため、負荷量に個人差が出るものの、負荷曲線が全て同じようなカーブ形状となってしまう。そのため、関節可動域や筋肉分布が特異な障碍者等が上記マシンを使用すると、負荷量が一操作の途中で過大になったり逆に不十分になったりする問題が生じる。
【先行技術文献】
【特許文献】
【０００８】
【特許文献１】特開２００８−３０２１４２号公報
【特許文献２】特開２００７−２３６５４５号公報
【発明の概要】
【発明が解決しようとする課題】
【０００９】
そこで本発明は、上記の如き問題に鑑みて為されたものであり、その目的とするところは、煩わしい調節作業を行うことなくユーザの身体に合った有効な負荷量でトレーニングを行うことができ、また、関節可動域や筋肉分布が健常者と異なる障碍者等のリハビリにも問題なく使用することが可能で、しかも、ユーザがトレーニング中に怪我をする心配もないトレーニングシステムを提供することにある。
【課題を解決するための手段】
【００１０】
本発明者が上記課題を解決するために採用した手段を添付図面を参照して説明すれば次のとおりである。
【００１１】
即ち、本発明は、ユーザの筋力や筋力と密接に関連するデータを測定する測定装置１とユーザが筋力トレーニングを行うトレーニング装置２とを、通信回線Ｌを介してサーバ装置３に接続してトレーニングシステムを構成する一方、
前記測定装置１を、ユーザが手や脚を使って操作を行う往復動作が可能な操作部12と；入力軸を有する発電機14と；前記操作部12と発電機14の入力軸を連繋せしめて、操作部12の往復運動を入力軸に回転運動として伝える動力伝達機構13と；前記発電機14に接続されて、入力軸の回転により発生した電流を測定する電流計15と；前記発電機14に付設されて、入力軸の角度位置を検出するエンコーダ16と；入力手段17bから入力されたユーザの識別データをサーバ装置３に登録情報として送信するプログラム、及び前記電流計15やエンコーダ16から送信されたデータに基いて、操作部12の可動範囲から選択した１０以上の測定位置における筋力データＰ1・Ｐ2…を算出し、更にこれを登録情報としてサーバ装置３に送信するプログラムが記憶手段17dに組み込まれた登録用端末17とを含んで構成すると共に、
前記トレーニング装置２を、前記測定装置１とほゞ同じ形態の操作部22と；出力軸を有するトルクモータ24と；前記操作部22とトルクモータ24の出力軸を連繋せしめて、操作部12の往復運動に出力軸のトルクを伝える動力伝達機構23と；入力手段25bから入力されたユーザの識別データをサーバ装置３に認証用データとして送信するプログラム、及びサーバ装置３から送信された筋力データに基づいて、ユーザのトレーニングに必要となる負荷量を、運動位置によって変化するトルクカーブＴとして算出するプログラム、及びこのトルクカーブＴを基にトルクモータ24を制御して出力軸のトルクを調節するプログラムが記憶手段25dに組み込まれた制御用端末25とを含んで構成し、
更に前記サーバ装置３を、測定装置１から送信されたユーザの登録情報を記憶することができ、かつ、トレーニング装置２から送信された識別データと登録された識別データとを比較して個人認証を行うプログラムが組み込まれた記憶手段32を備えて構成した点に特徴がある。
【００１２】
また、上記トレーニング装置２の制御用端末25においては、記憶手段25dに組み込まれたトルクカーブを算出するプログラムに、各測定位置の筋力データＰ1・Ｐ2…を一次関数で直線的に繋ぐ補正プログラムを含めることで、各ユーザの身体に合った折れ線状のトルクカーブを簡単に算出することができる。もちろん、所定の数式を使えば各測定位置の筋力データＰ1・Ｐ2…から滑らかな曲線のトルクカーブＴを算出することもできる。
【００１３】
また更に、トレーニング時のポジション調節については、上記測定装置１とトレーニング装置２に、アジャスト機構11a・21a付きのシート部11・21を設ける一方、測定装置１の登録用端末17の記憶手段17dに、入力手段17bから入力された、或いはアジャスト機構11aに付設した変位センサ11bから送信されたシート部11の位置・角度データを、サーバ装置３に登録情報として送信するプログラムを組み込むと共に、トレーニング装置２の制御用端末25の記憶手段25dに、サーバ装置３から送信された位置・角度データに基づいて、シート部21のポジション及びアングルをアジャスト機構21aを制御して調節するプログラムが組み込むことで調節作業を自動化することができる。なお、上記シート部11の位置・角度データには、座部の位置・角度だけでなく座部に対する背凭れ部等の位置・角度も含まれるものとする。
【００１４】
そしてまた、上記測定装置１については、測定装置１とトレーニング装置２が一体となったトレーニング複合装置４を使用することで、筋力測定とトレーニングを一つのマシンで行えるようになる。更にトレーニング装置２にもトレーニング複合装置４を使用すれば、どのマシンでも筋力測定を行うことができるようになる。
【００１５】
また、上記トレーニング複合装置４に関しては、トレーニング時の負荷発生源および筋力測定時の発電機としてトルクモータ44を兼用すると共に、登録用端末と制御用端末の両方の機能を備えたモード切替式の登録・制御用端末47が付設して構成するのが望ましい。
【００１６】
一方、上記制御用端末25に組み込んだ筋力データＰ1・Ｐ2…からトルクカーブＴを算出するプログラムについては、測定装置１の登録用端末17の記憶手段17dに組み込むこともできる。また、その場合には、電流計15やエンコーダ16から送信されたデータに基いて、操作部12の可動範囲から選択した１０以上の測定位置における筋力データＰ1・Ｐ2…を算出した後、更にこの筋力データからユーザのトレーニングに必要となる負荷量をトルクカーブＴとして算出して、これを登録情報としてサーバ装置３に送信するプログラムとする。また、このケースでは、トレーニング装置２の制御用端末25の記憶手段25dに、サーバ装置３から送信されたトルクカーブＴを基にトルクモータ24を制御して出力軸のトルクを調節するプログラムを組み込む。
【発明の効果】
【００１７】
本発明では、トレーニング装置の操作部の可動範囲から選択した複数の測定位置における筋力データを、同型の測定装置(又は同一装置の筋力測定機能)によって測定すると共に、この筋力データを基に算出したトルクカーブに基いて、トレーニング装置の負荷量を操作部の位置に応じて変動させているため、各ユーザに合った負荷量でトレーニングを行うことが可能となる。
【００１８】
しかも、本発明では、上記トルクカーブを少なくとも１０以上の測定位置から得られた筋力データを基に算出しているため、カーブ形状は各ユーザ毎に異なった形状となる。そのため、障碍者等が使用する場合でも、各障碍者に固有のトルクカーブを算出することが可能となるため、トレーニングを効果的かつ安全に行うことができる。
【００１９】
また、上記トルクカーブに沿って負荷を調節することで、運動開始時の負荷を小さく抑えることもできるため、ユーザがトレーニング中に怪我をする心配もない。また本発明では、ユーザの個人データをサーバ装置に記憶させると共に、トルクモータと制御装置で負荷を自動調節しているため、個人認証さえ行えば煩わしい調節作業も必要ない。
【００２０】
したがって、本発明により、取扱いが容易でユーザのトレーニング効果を向上させることができるだけでなく、トレーニング中におけるユーザの身体への負担を軽減して障碍者や高齢者等のリハビリにも使用できるようにした安全性の高いトレーニングシステムを提供できることから、本発明の実用的利用価値は頗る高い。
【図面の簡単な説明】
【００２１】
【図１】本発明の実施例１におけるトレーニングシステムを表わす概略図である。
【図２】本発明の実施例１におけるトレーニングシステムのサーバと各端末の関係を表わすブロック図である。
【図３】本発明の実施例１における測定装置で算出したユーザの筋力データの具体例を表わす説明図である。
【図４】本発明の実施例１におけるトレーニング装置で算出したトルクカーブの具体例を表わす説明図である。
【図５】本発明の実施例２におけるトレーニングシステムを表わす概略図である。
【図６】本発明の実施例２におけるトレーニング複合装置の登録・制御用端末を表わすブロック図である。
【発明を実施するための形態】
【００２２】
『実施例１』
まず、本発明の実施例１について、図１から図に基いて説明する。同図において、符号１で指示するものは、測定装置であり、符号２で指示するものは、トレーニング装置である。また符号３で指示するものは、サーバ装置である。
【００２３】
この実施例１では、ユーザの筋力や筋力と密接に関連するデータを測定する測定装置１とユーザが筋力トレーニングを行うトレーニング装置２とを、通信回線Ｌを介してサーバ装置３に接続してトレーニングシステムを構成している(図１参照)。なお本実施例では、通信回線Ｌとして無線ＬＡＮを利用しているが、回線の種類は有線でも無線でも特に問題はない。
【００２４】
また、上記測定装置１とトレーニング装置２には、ユーザが着座するシート部11・21を設けると共に、このシート部11・21にアジャスト機構11a・21aを付設して、座部の位置や角度および座部に対する背凭れの角度をユーザの体格に合わせて調節できるようにしている。また本実施例では、シート部11・21のアジャスト機構11a・21aを電子制御が可能なアクチュエータを使用している。
【００２５】
また本実施例では、上記測定装置１とトレーニング装置２に、往復動作が可能な板体を操作部12・22として備え、ユーザがこの板体を両脚で押して屈伸運動を行うレッグプレスマシンを採用している。また、上記トレーニング装置２には、測定装置１とシート部11・21及び操作部12・22の形態が同一のものを使用している。
【００２６】
そして、上記測定装置１については、操作部12を動力伝達機構13を介して発電機14に連繋している。具体的には、操作部12の往復運動が発電機14の入力軸に回転運動と伝わるようにベルトやプーリを使って両者を連繋している。もちろん、往復運動を回転運動に変換して伝える機構として、スライダクランク機構やカム等を採用することもできる。
【００２７】
また更に、上記測定装置１の発電機14には、図２に示すように、入力軸の回転により発生した電流を測定する電流計15、及び入力軸の角度位置を検出するエンコーダ16を付設している。そして、これらの電流計15やエンコーダ16を登録用端末17に接続して、登録用端17に電流計15等で得られたデータを送信できるようにしている。
【００２８】
また、上記登録用端末17については、データを送信または受信するための送受信手段17aと、ユーザがデータを入力する入力手段17bと、データを出力する出力手段17cと、受信したデータ及び入力されたデータを記憶するための記憶手段17dと、データ処理を行う演算手段17eとをハードウェアに備えて構成している。
【００２９】
ちなみに本実施例では、上記登録用端末17の送受信手段17aに送受信回路・端子、入力手段17bにタッチ操作パネルと指紋スキャナ、出力手段17cにタッチパネルディスプレイ、記憶手段17dにハードディスクとメモリ、演算手段17eにＣＰＵを使用している。但し、入出力手段には、入出力専用の操作盤や出力モニタを使用することもできる。
【００３０】
また、上記登録用端末17の記憶手段17dには、ソフトウェアとして入力手段17bから入力されたユーザの識別データをサーバ装置３に登録情報として送信するプログラムを組み込んでいる。具体的には、指静脈スキャナで読み取ったユーザの指静脈データをサーバ装置３に送信して登録できるようにしている。
【００３１】
そしてまた、上記登録用端末17の記憶手段17dには、電流計15やエンコーダ16から送信されたデータに基いて、操作部12の可動範囲(運動範囲)から選択した２０箇所の測定位置における筋力データＰ1・Ｐ2…(図３参照)を算出するプログラム、及びこれを登録情報としてサーバ装置３に送信するプログラムを組み込んでいる。
【００３２】
なお、上記筋力データＰ1・Ｐ2…の測定位置の選択に関しては、運動開始位置から運動終了位置までの距離を均等な間隔で最低１０以上に分割し、その分割した運動範囲内から測定位置を選択する。また操作部12の位置については、エンコーダ16から送信された発電機14の入力軸の角度によって特定できる。
【００３３】
また上記サーバ装置３に登録情報を送信するプログラムについては、ユーザの識別データと筋力データＰ1・Ｐ2…とシート部11の位置・角度データをセットにして送信するのが望ましい。また必要に応じて、ユーザの名前や身長・体重等のデータを、入力手段17bから入力して上記データと一緒に登録することもできる。
【００３４】
また本実施例では、上記シート部11のアジャスト機構11aに変位センサ11bを付設して、この変位センサ11bからユーザの体格に合ったシート部11の位置・角度データを自動入力できるようにしている。なお、シート部11の位置・角度データの入力は、入力手段17bを操作して手動で行えるようにすることもできる。
【００３５】
一方、上記トレーニング装置２の操作部22は、動力伝達機構23を介してトルクモータ24に連繋している。具体的には、測定装置１と同様、ベルトとプーリから成る動力伝達機構23を用いて両者を連繋し、トルクモータ24の出力軸のトルクが操作部22に往復動作時の負荷として伝わるようにしている。
【００３６】
また、上記トルクモータ24は、出力軸のトルク制御を行えるように制御用端末25に接続している。そして、この制御用端末25は、ハードウェアを測定装置１の入力用端末17と同様の送受信手段25a、入力手段25b、出力手段25c、記憶手段25および演算手段25eから構成している。
【００３７】
また、上記制御用端末25の記憶手段25dには、入力手段25bから入力されたユーザの識別データ(本実施例では、入力手段25bとして有する指紋スキャナから読み込んだユーザの指紋データ)をサーバ装置３に認証用データとして送信するプログラムをソフトウェアとして組み込んでいる。
【００３８】
また更に、上記制御用端末25の記憶手段25dには、個人認証の完了後、サーバ装置３から送信された筋力データＰ1・Ｐ2…に基づいて、ユーザのトレーニングに必要となる負荷量を、図４(a)に示すトルクカーブＴとして算出するプログラム、及びこのトルクカーブＴを基にトルクモータ24を制御して出力軸のトルクを調節するプログラムを組み込んでいる。
【００３９】
なお、上記プログラムによって算出されたトルクカーブＴは、運動開始位置から運動範囲の前半にかけて次第に大きくなり、更に運動範囲の後半から運動終了位置にかけて小さくなるカーブ形状を描くが、図４(a)に記載のトルクカーブＳ1・Ｓ2…に示すようにトルクの増減の仕方や最大トルクが維持される区間幅は個人差が出るため、各ユーザが全く同じカーブ形状になる可能性は非常に低い。
【００４０】
また、上記トルクカーブＴの算出プログラムに関しては、各測定位置の筋力データＰ1・Ｐ2…を一次関数で直線的に繋ぐ補正プログラムを加えることで、各ユーザの身体に合った折れ線状のトルクカーブＴを簡単に算出することができる。また、所定の数式を使うことで、図４(b)に示すような滑らかな曲線のトルクカーブＴ’を算出することもできる。
【００４１】
また本実施例では、上記制御用端末25の記憶手段25dに、個人認証後にサーバ装置３から送信された位置・角度データに基づいて、シート部21のポジション及びアングルをアジャスト機構21aを制御して自動調節するプログラムも組み込んでいる。これにより、各ユーザのポジション調節を正確かつ容易に行えるようになる。
【００４２】
そして上記トレーニング装置２に、測定装置１と同じポジションで座った状態でトルクカーブＴの負荷量に合わせて反復運動を行うことにより、各ユーザのトレーニング効果を一層高めることができる。また、トルクカーブＴの負荷量に合わせたトレーニングによってトレーニング中の怪我も防止できる。
【００４３】
他方、上記サーバ装置３に関しては、ハードウェアを通信回線Ｌに接続された測定装置１やトレーニング装置２とデータ通信を行うための送受信手段31と、測定装置１から送信されたユーザの登録情報を記憶する記憶手段32と、データ処理を行う演算手段33とから構成している。
【００４４】
また、上記サーバ装置３の記憶手段32には、トレーニング装置２から送信された識別データと登録された識別データとを比較して個人認証を行うプログラム、及び個人認証が完了した後、ユーザの個人データ(筋力データＰ1・Ｐ2…やシート部の位置・角度データ)をトレーニング装置１に送信するプログラムを組み込んでいる。
【００４５】
『実施例２』
次に、本発明の実施例２について、図５及び図６に基いて説明する。まずこの実施例２では、上記測定装置とトレーニング装置に、両者が一体となったトレーニング複合装置４を使用している。これにより、筋力測定とトレーニングを一つのマシンで行うことができるため、トルクカーブＴの算出やポジション調節がより正確に行えるようになる。
【００４６】
また本実施例では、図５に示すように全てのマシンにトレーニング複合装置４を使用しているため、ユーザがトレーニングを行う前に気軽に筋力測定を行うことができる。なお本実施例では、上記トレーニング複合装置４の負荷発生源であるトルクモータ44を筋力測定時の発電機としても利用している。
【００４７】
しかも、本実施例では、上記トレーニング複合装置４に、登録用端末17と制御用端末25の両方の機能を備えたモード切替式の登録・制御用端末47を付設しているため、ユーザは簡単なタッチパネル操作で筋力測定とトレーニングの切り替えを行うことができる。また両端末を一体化することによって装置構成を単純化できる。
【００４８】
なお、上記登録・制御用端末47に関しては、実施例１に記載した登録用端末17や制御用端末25と同様のハードウェア（送受信手段47a、入力手段47b、出力手段47c、記憶手段47および演算手段47e)から構成しているが、記憶手段47には登録用のプログラムと制御用のプログラム、及び切替用のプログラムを組み込んでいる。
【００４９】
また本実施例では、トレーニング複合装置４・４…とサーバ装置３とをインターネットを介して接続しているため、マシンが離れた場所(例えば、介護施設と病院、或いは自宅とフィットネスジム等)に設置されている場合でも、ユーザは同じデータを利用してトレーニングを行うことができる。
【００５０】
また、上記のようにトレーニング複合装置４・４…をインターネットを介してサーバ装置３を接続することによって、サーバ装置３に記憶させたユーザのデータを、医者が病院等から閲覧することも可能となるため、トレーニングデータを手足が不自由な障碍者や高齢者、患者等の機能回復の診断に役立てることもできる。
【００５１】
本発明は、概ね上記のように構成されるが、本発明は図示の実施形態に限定されるものではなく、「特許請求の範囲」の記載内において種々の変更が可能であって、例えば、筋力データＰ1・Ｐ2…からトルクカーブＴを算出するプログラムについては、トレーニング装置２ではなく測定装置１の登録用端末17の記憶手段17dに組み込むこともできる。
【００５２】
またその場合には、測定装置１の電流計15やエンコーダ16から送信されたデータに基いて、筋力データＰ1・Ｐ2…を算出した後、更にこの筋力データＰ1・Ｐ2…からユーザのトレーニングに必要となる負荷量をトルクカーブＴとして算出して、これを登録情報としてサーバ装置３に送信するプログラムを登録用端末17に組み込む。
【００５３】
また、上記のケースでは、トレーニング装置２の制御用端末25の記憶手段25dに、サーバ装置３から送信されたトルクカーブＴを基にトルクモータ24を制御して出力軸のトルクを調節するプログラムを組み込む。これにより、個人認証が完了した後、トレーニング装置２で処理するデータ量を小さく抑えることができる。
【００５４】
他方また、測定装置１やトレーニング装置２(又はトレーニング複合装置４)の個人認証手段には、指紋認証だけでなくその他の生体認証手段(虹彩認証や静脈認証等)や識別カードを用いた認証手段を採用することができる。また登録端末や制御端末に設ける入力手段には、識別データに応じた読み取り手段を採用する。
【００５５】
そしてまた、測定装置１やトレーニング装置２(又はトレーニング複合装置４)のシート部や操作部の形態も、マシンの種類によって適宜変更することができ、具体的なマシンの種類としては、レッグプレスの他、オーバーヘッドプレスやチェストプレス、プルダウン、ローリアデルト、アブクランチ、バーティカルバタフライ、レッグカール、アームカール、バックエクステンション、ローイング、アブダクション等が挙げられる。
【００５６】
また、測定装置１とトレーニング装置２(又はトレーニング複合装置４)のシート部のアジャスト機構についても、座部を前後に移動させてシート位置を調節するスライド機構や、背凭れのヘッドレストの角度を調節する機構等を設けてもよく、上記何れのものも本発明の技術的範囲に属する。
【産業上の利用可能性】
【００５７】
近年、医療福祉の分野において、障碍者や高齢者でも使用できるトレーニングマシンが求められている。そのような中で、本発明のトレーニングシステムは、優れたトレーニング効果が得られるだけでなく、トレーニングマシンの使用時の安全性を向上できる有用な技術であるため、その産業上の利用価値は非常に高い。
【符号の説明】
【００５８】
１  測定装置
11  シート部
11a  アジャスト機構
11b  変位センサ
12  操作部
13  動力伝達機構
14  発電機
15  電流計
16  エンコーダ
17  登録用端末
17a  送受信手段
17b  入力手段
17c  出力手段
17d  記憶手段
17e  演算手段
２  トレーニング装置
21  シート部
21a  アジャスト機構
22  操作部
23  動力伝達機構
24  トルクモータ
25  制御用端末
25a  送受信手段
25b  入力手段
25c  出力手段
25d  記憶手段
25e  演算手段
３  サーバ装置
31  送受信手段
32  記憶手段
33  演算手段
４  トレーニング複合装置
41  シート部
41a  アジャスト機構
42  操作部
43  動力伝達機構
44  トルクモータ
45  電流検知部
46  エンコーダ
47  登録・制御用端末
47a  送受信手段
47b  入力手段
47c  出力手段
47d  記憶手段
47e  演算手段
Ｌ  通信回線
Ｐ  筋力データ
Ｔ  トルクカーブ
【図１】
2014113388.tif 000003
【図２】
2014113388.tif 000004
【図３】
2014113388.tif 000005
【図４】
2014113388.tif 000006
【図５】
2014113388.tif 000007
【図６】
2014113388.tif 000008